(57)【要約】【課題】電子バリューを利用する店舗の状況などによっては、電子バリューの利用が制限される場合がある。【解決手段】ユーザの情報処理端末を識別する端末識別情報と、ユーザが携行できる有体物に記録され、電子バリューを管理する口座を識別する口座識別情報と、口座識別情報により識別される口座における電子バリューの残高に関する情報とを対応付けて格納するバリュー情報格納部を備え、有体物は、情報処理端末とは異なる。【選択図】図１
2015219888.tif 000002
【特許請求の範囲】
【請求項１】
ユーザの情報処理端末を識別する端末識別情報と、前記ユーザが携行できる有体物に記録され、電子バリューを管理する口座を識別する口座識別情報と、前記口座識別情報により識別される口座における電子バリューの残高に関する情報とを対応付けて格納するバリュー情報格納部を備え、
前記有体物は、前記情報処理端末とは異なる、
電子バリュー管理システム。
【請求項２】
前記バリュー情報格納部は、前記端末識別情報と、前記口座識別情報と、前記電子バリューの残高に関する情報と、前記電子バリューの購入時又は補充時の決済方法に関する情報とを対応付けて格納する、
請求項１に記載の電子バリュー管理システム。
【請求項３】
前記バリュー情報格納部は、前記端末識別情報と、前記口座識別情報と、前記電子バリューの残高に関する情報と、商品又はサービスの提供者から前記ユーザに付与されたポイントの残高に関する情報とを対応付けて格納する、
請求項１又は請求項２に記載の電子バリュー管理システム。
【請求項４】
前記ユーザの取引の決済処理を実行する決済処理装置から、前記端末識別情報又は前記口座識別情報と、前記ユーザの取引の決済金額に関する情報と、前記端末識別情報又は前記口座識別情報に対応付けられた前記電子バリューの残高を更新するための要求とを受信する決済情報受信部と、
前記端末識別情報又は前記口座識別情報に対応付けられた前記電子バリューの残高から、前記決済金額に相当する電子バリューを減少させて、前記電子バリューの残高を更新するバリュー情報更新部と、
をさらに備える、
請求項１から請求項３までの何れか一項に記載の電子バリュー管理システム。
【請求項５】
前記ユーザの取引の決済処理を実行する決済処理装置から、前記端末識別情報又は前記口座識別情報と、前記取引の決済金額に関する情報と、前記取引の決済の可否を判定するための要求とを受信する要求受信部と、
前記バリュー情報格納部を参照して、前記要求受信部により受信された前記端末識別情報又は前記口座識別情報に対応付けられた前記電子バリューの残高を抽出する残高抽出部と、
前記残高抽出部により抽出された電子バリューの残高と、前記ユーザの取引の決済金額とを比較して、前記残高抽出部により抽出された電子バリューの残高が、前記ユーザの取引の決済金額以上である場合に、前記ユーザの取引の決済が可能であると判定する判定部と、
をさらに備える、
請求項４に記載の電子バリュー管理システム。
【請求項６】
前記要求受信部は、第１のユーザの端末識別情報に対応付けられた１以上の口座識別情報の少なくとも１つにつき、前記少なくとも１つの口座識別情報と、前記第１のユーザの端末識別情報との対応付けを解消し、前記少なくとも１つの口座識別情報と、第２のユーザの端末識別情報とを対応付けるように要求する変更要求をさらに受信し、
前記バリュー情報更新部は、前記要求受信部が前記変更要求を受信した場合に、前記少なくとも１つの口座識別情報と、前記第１のユーザの端末識別情報との対応付けを解消し、前記少なくとも１つの口座識別情報と、第２のユーザの端末識別情報とを対応付ける、
請求項５に記載の電子バリュー管理システム。
【請求項７】
前記ユーザの電子バリューを利用した取引の履歴を格納する取引履歴格納部をさらに備える、
請求項１から請求項６までの何れか一項に記載の電子バリュー管理システム。
【請求項８】
コンピュータを、請求項１から請求項７までの何れか一項に記載の電子バリュー管理システムとして機能させるためのプログラム。
【発明の詳細な説明】
【技術分野】
【０００１】
本発明は、電子バリュー管理システム及びプログラムに関する。
【背景技術】
【０００２】
電子マネーなどの電子バリューを管理するシステムが知られている（例えば、特許文献１を参照。）。
（先行技術文献）
（特許文献）
（特許文献１）特開２０１１−１９２２９３号公報
【発明の概要】
【発明が解決しようとする課題】
【０００３】
上記のシステムにおいては、電子バリューを利用する店舗の状況などによっては、電子バリューの利用が制限される場合がある。
【課題を解決するための手段】
【０００４】
本発明の第１の態様においては、ユーザの情報処理端末を識別する端末識別情報と、ユーザが携行できる有体物に記録され、電子バリューを管理する口座を識別する口座識別情報と、口座識別情報により識別される口座における電子バリューの残高に関する情報とを対応付けて格納するバリュー情報格納部を備える電子バリュー管理システムが提供される。上記の電子バリュー管理システムにおいて、有体物は、情報処理端末とは異なってよい。
【０００５】
上記の電子バリュー管理システムにおいて、バリュー情報格納部は、端末識別情報と、口座識別情報と、電子バリューの残高に関する情報と、電子バリューの購入時又は補充時の決済方法に関する情報とを対応付けて格納してよい。上記の電子バリュー管理システムにおいて、バリュー情報格納部は、端末識別情報と、口座識別情報と、電子バリューの残高に関する情報と、商品又はサービスの提供者からユーザに付与されたポイントの残高に関する情報とを対応付けて格納してよい。
【０００６】
上記の電子バリュー管理システムは、ユーザの取引の決済処理を実行する決済処理装置から、端末識別情報又は口座識別情報と、ユーザの取引の決済金額に関する情報と、端末識別情報又は口座識別情報に対応付けられた電子バリューの残高を更新するための要求とを受信する決済情報受信部をさらに備えてよい。上記の電子バリュー管理システムは、端末識別情報又は口座識別情報に対応付けられた電子バリューの残高から、決済金額に相当する電子バリューを減少させて、電子バリューの残高を更新するバリュー情報更新部をさらに備えてよい。
【０００７】
上記の電子バリュー管理システムは、ユーザの取引の決済処理を実行する決済処理装置から、端末識別情報又は口座識別情報と、取引の決済金額に関する情報と、取引の決済の可否を判定するための要求とを受信する要求受信部をさらに備えてよい。上記の電子バリュー管理システムは、バリュー情報格納部を参照して、要求受信部により受信された端末識別情報又は口座識別情報に対応付けられた電子バリューの残高を抽出する残高抽出部をさらに備えてよい。上記の電子バリュー管理システムは、残高抽出部により抽出された電子バリューの残高と、ユーザの取引の決済金額とを比較して、残高抽出部により抽出された電子バリューの残高が、ユーザの取引の決済金額以上である場合に、ユーザの取引の決済が可能であると判定する判定部をさらに備えてよい。上記の電子バリュー管理システムは、ユーザの電子バリューを利用した取引の履歴を格納する取引履歴格納部をさらに備えてよい。
【０００８】
上記の電子バリュー管理システムにおいて、要求受信部は、第１のユーザの端末識別情報に対応付けられた１以上の口座識別情報の少なくとも１つにつき、少なくとも１つの口座識別情報と、第１のユーザの端末識別情報との対応付けを解消し、少なくとも１つの口座識別情報と、第２のユーザの端末識別情報とを対応付けるように要求する変更要求をさらに受信してよい。上記の電子バリュー管理システムにおいて、バリュー情報更新部は、要求受信部が変更要求を受信した場合に、少なくとも１つの口座識別情報と、第１のユーザの端末識別情報との対応付けを解消し、少なくとも１つの口座識別情報と、第２のユーザの端末識別情報とを対応付けてよい。
【０００９】
本発明の第２の態様においては、コンピュータを上記の電子バリュー管理システムとして機能させるためのプログラムが提供される。なお、電子バリュー管理システム用のプログラムを記憶するコンピュータ読み取り可能な媒体であって、当該プログラムが、コンピュータを上記の電子バリュー管理システムとして機能させる、コンピュータ読み取り可能な媒体が提供されてもよい。
【００１０】
なお、上記の発明の概要は、本発明の必要な特徴の全てを列挙したものではない。また、これらの特徴群のサブコンビネーションもまた、発明となりうる。
【図面の簡単な説明】
【００１１】
【図１】決済システム１００の一例を概略的に示す。
【図２】ユーザ端末１１０のシステム構成の一例を概略的に示す。
【図３】キャッシュレジスタ１３２のシステム構成の一例を概略的に示す。
【図４】管理サーバ１４０のシステム構成の一例を概略的に示す。
【図５】データテーブル５００の一例を概略的に示す。
【図６】データテーブル６００の一例を概略的に示す。
【図７】管理サーバ１４０における情報処理の一例を概略的に示す。
【図８】管理サーバ１４０における情報処理の一例を概略的に示す。
【発明を実施するための形態】
【００１２】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。なお、図面において、同一または類似の部分には同一の参照番号を付して、重複する説明を省く場合がある。
【００１３】
図１は、決済システム１００の一例を概略的に示す。本実施形態において、ユーザ１０２が、商品又はサービスを購入する店舗において、ユーザ端末１１０又はカード１２０を提示して、決済システム１００により提供される電子バリューサービスを利用する場合を例として、決済システム１００について説明する。決済システム１００により提供される電子バリューサービスとしては、（ｉ）電子バリューの購入又は補充処理、（ｉｉ）電子バリューを利用した決済処理、及び（ｉｉｉ）電子バリューの譲渡処理を例示することができる。
【００１４】
本実施形態によれば、（ｉ）電子バリューの購入又は補充処理において、カード１２０に記録された識別情報と、ユーザ端末１１０を識別する識別情報とを対応付ける。本実施形態によれば、現実の店舗に設置された店舗端末１３０を利用して、カード１２０に記録された識別情報と、ユーザ端末１１０を識別する識別情報とが対応付けられる。これにより、例えば、電子バリューの購入又は補充処理が完了した後、カード１２０を店舗で回収して、再利用することもできる。
【００１５】
本実施形態によれば、カード１２０に記録された識別情報と、ユーザ端末１１０を識別する識別情報とが対応付けられる。これにより、例えば、（ｉｉ）電子バリューを利用した決済処理において、カード１２０を提示して電子バリューを使用する場合と、ユーザ端末１１０を提示して電子バリューを使用する場合とで、同一の口座を利用して電子バリューを管理することができる。
【００１６】
例えば、海、川、プールなどのようにユーザ端末１１０を携行することが困難である場合、又は、イベント会場などで携帯端末を携行することが禁止されている場合であっても、カード１２０を携行することで、電子バリューを使用することができる。また、カード１２０が電子バリューを格納するＩＣチップを有する場合において、店舗端末１３０がバーコードリーダは備えているが、ＲＦＩＤリーダを備えていないときには、カード１２０を提示して電子バリューを使用することができない。しかし、本実施形態によれば、ユーザ端末１１０の表示部１１２にバーコード１１６を含む表示画面１１４を表示させることで、電子バリューを使用することができる。
【００１７】
特に、ユーザ端末１１０の識別情報が、電子バリューを管理するプログラムにより、ユーザ端末１１０又はユーザ１０２に割り当てられた識別情報である場合には、例えば、電子商取引において利用する電子バリューと、現実の店舗で、ユーザ端末１１０又はカード１２０を提示して商品又はサービスを購入する場合に利用する電子バリューとを、同一の口座を利用して管理することができる。電子バリューを管理するプログラムは、管理サーバ１４０上で動作するプログラムであってもよく、ユーザ端末１１０上で動作するプログラムであってもよい。
【００１８】
本実施形態において、決済システム１００は、店舗端末１３０と、管理サーバ１４０とを備える。店舗端末１３０は、キャッシュレジスタ１３２と、読み取り装置１３４とを有する。決済システム１００、店舗端末１３０及びキャッシュレジスタ１３２は、それぞれ、電子バリュー管理システムの一例であってよい。カード１２０は、ユーザ１０２が携行できる有体物の一例であってよい。読み取り装置１３４は、端末情報取得部及び口座情報取得部の一例であってよい。
【００１９】
本実施形態において、ユーザ端末１１０、店舗端末１３０及び管理サーバ１４０は、通信回線１０を介して、互いに情報を送受することができる。通信回線１０は、無線通信の伝送路であってもよく、有線通信の伝送路であってもよく、これらの組み合わせであってもよい。通信回線１０としては、携帯電話回線網などの移動体通信網、無線パケット通信網、インターネット、専用回線及びこれらの組み合わせを例示することができる。
【００２０】
ユーザ端末１１０は、ユーザ端末１１０を識別するための端末識別情報（端末ＩＤと要される場合がある。）を記憶する。ユーザ端末１１０は、端末ＩＤを暗号化して記憶してよい。端末ＩＤは、例えば、ユーザ端末１１０にインストールされた特定のプログラムにより、ユーザ端末１１０又はユーザ１０２に割り当てられた識別情報である。上記のプログラムは、ユーザ端末１１０に、電子バリューを管理する手順を実行させるためのプログラムであってよい。端末ＩＤは、ユーザ端末１１０のハードウエアに割り当てられた識別情報であってもよい。ハードウエアに割り当てられた識別情報としては、ＭＡＣアドレス、ＳＩＭカード（Ｓｕｂｓｃｒｉｂｅｒ  Ｉｄｅｎｔｉｔｙ  Ｍｏｄｕｌｅ  Ｃａｒｄ）に格納された電話番号を特定するための固有のＩＤ番号などを例示することができる。
【００２１】
本実施形態において、ユーザ端末１１０は、表示部１１２を有する。一実施形態において、ユーザ端末１１０は、ユーザ１０２の指示に応じて、ユーザ端末１１０の端末ＩＤを表示部１１２に表示させる。他の実施形態において、ユーザ端末１１０は、読み取り装置１３４からの要求に応じて、ユーザ端末１１０の端末ＩＤを表示部１１２に表示させる。
【００２２】
本実施形態において、ユーザ端末１１０は、ユーザ端末１１０の端末ＩＤがコード化されたバーコード１１６を含む表示画面１１４を、表示部１１２に表示させる。これにより、店舗端末１３０は、読み取り装置１３４によりバーコード１１６を読み取り、キャッシュレジスタ１３２によりデコードすることで、ユーザ端末１１０の端末ＩＤを取得することができる。
【００２３】
バーコード１１６は、コード化された情報の一例であってよい。情報をコード化する方法は、当該方法によりコード化された情報が表示部１１２に表示できるものであれば、特に限定されない。コード化された情報としては、バーコードなどの１次元コード、カラーバーコード、ＱＲコード（登録商標）などの２次元コード、及び、カラーＣコードなどの３次元コードを例示することができる。
【００２４】
なお、本実施形態において、ユーザ端末１１０は、ユーザ端末１１０の端末ＩＤをコード化して、コード化された情報を表示部１１２に表示する場合について説明する。しかし、ユーザ端末１１０の端末ＩＤの表示方法は本実施形態に限定されない。他の実施形態において、ユーザ端末１１０は、ユーザ端末１１０の端末ＩＤをコード化することなく、表示部１１２に表示してよい。
【００２５】
ユーザ端末１１０は、通信回線１０を介して情報を送受することができる情報処理装置であれよく、特に限定されない。ユーザ端末１１０としては、Ｗｅｂブラウザソフトが導入されたパーソナルコンピュータ、携帯端末などを例示することができる。ユーザ端末１１０は、携帯端末であることが好ましい。
【００２６】
携帯端末としては、携帯電話若しくはスマートフォン、ノートブック・コンピュータ若しくはラップトップ・コンピュータ、ＰＤＡ、タブレット端末、ウェアラブル・コンピュータなどを例示することができる。ウェアラブル・コンピュータとしては、メガネ型、腕輪型、指輪型などのウェアラブル・コンピュータを例示することができる。
【００２７】
カード１２０は、ユーザ１０２により携行される。カード１２０には、電子バリューを管理する口座を識別する口座識別情報（口座ＩＤと称する場合がある。）が記録されている。口座ＩＤは、カード１２０に記録され、カード１２０を識別するカード識別情報（カードＩＤと称する場合がある。）であってよい。
【００２８】
一実施形態において、カードＩＤは、印刷、刻印、貼り付けなどの方法により、カード１２０に記録される。カードＩＤは、記号若しくはコード化された記号であってよい。本実施形態において、カードＩＤは、例えばバーコード１２６としてカード１２０の表面に印刷される。他の実施形態において、カードＩＤは、カード１２０に配されたＩＣチップ、メモリなどに、デジタルデータとして記録される。
【００２９】
カードＩＤは、サービスを提供するサービス提供者により、カード１２０又はユーザ１０２に割り当てられた識別情報であってよい。一実施形態において、カード１２０は、電子バリューを購入するためのプリペイドカードであってよい。この場合、カードＩＤは、電子バリューサービスを提供するサービス提供者によりカード１２０に割り当てられた識別情報であってよい。他の実施形態において、カード１２０は、ユーザ１０２がサービス提供者により提供されるサービスの利用者であることを示す会員カードであってよい。この場合、カードＩＤは、サービス提供者によりユーザ１０２に割り当てられた識別情報であってよい。
【００３０】
本実施形態において、口座ＩＤが記録される有体物がカード１２０である場合について説明した。しかし、口座ＩＤが記録される有体物は、本実施形態に限定されない。他の実施形態において、有体物は、フィルム状、シール状、リング状の物体であってもよく、メガネ、イヤリング、ピアス、マニキュアなどのアクセサリであってもよい。
【００３１】
キャッシュレジスタ１３２は、ユーザ１０２が商品又はサービスを取引する店舗に配され、当該取引を決済する。一実施形態において、カード１２０が電子バリューを購入するためのプリペイドカードであり、ユーザ１０２が、カード１２０を利用して電子バリューを購入する場合、キャッシュレジスタ１３２は、例えば、下記の手順で当該取引を決済する。
【００３２】
まず、キャッシュレジスタ１３２は、読み取り装置１３４から、ユーザ端末１１０の端末ＩＤと、カード１２０のカードＩＤとを取得する。次に、キャッシュレジスタ１３２は、ユーザ端末１１０の端末ＩＤ及びカード１２０のカードＩＤを対応付けて、管理サーバ１４０に送信する。これにより、管理サーバ１４０において、ユーザ端末１１０の端末ＩＤと、カード１２０のカードＩＤと、電子バリューの残高に関する情報とを対応付けることができる。キャッシュレジスタ１３２は、上記の情報に、カード１２０の購入時の決済方法に関する情報をさらに対応付けて、管理サーバ１４０に送信してもよい。例えば、ユーザ１０２は、カード１２０を現金決済により購入することにより、電子バリューを購入する。
【００３３】
他の実施形態において、ユーザ１０２が、電子バリューを利用して商品又はサービスを購入する場合、キャッシュレジスタ１３２は、例えば、下記の手順で当該取引を決済する。まず、キャッシュレジスタ１３２は、読み取り装置１３４から、ユーザ１０２が購入する商品又はサービスの代金（取引の決済金額と称する場合がある。）に関する情報を取得する。次に、キャッシュレジスタ１３２は、読み取り装置１３４から、ユーザ端末１１０の端末ＩＤ又はカード１２０のカードＩＤを取得する。
【００３４】
次に、キャッシュレジスタ１３２は、ユーザ端末１１０の端末ＩＤ又はカード１２０のカードＩＤと、当該取引の決済金額とを対応付けて、管理サーバ１４０に送信する。これにより、管理サーバ１４０において、端末ＩＤ又はカードＩＤに対応付けられた電子バリューの残高から、取引の決済金額に相当する電子バリューを減算して、電子バリューの残高を更新することができる。キャッシュレジスタ１３２は、上記の情報に、上記の取引の決済方法に関する情報をさらに対応付けて、管理サーバ１４０に送信してもよい。
【００３５】
キャッシュレジスタ１３２は、通信回線１０を介して情報を送受することができる情報処理装置であれよく、特に限定されない。ユーザ端末１１０としては、Ｗｅｂブラウザソフトが導入されたパーソナルコンピュータ、携帯端末などを例示することができる。ユーザ端末１１０は、携帯端末であることが好ましい。
【００３６】
携帯端末としては、携帯電話若しくはスマートフォン、ノートブック・コンピュータ若しくはラップトップ・コンピュータ、ＰＤＡ、タブレット端末、ウェアラブル・コンピュータなどを例示することができる。ウェアラブル・コンピュータとしては、メガネ型、腕輪型、指輪型などのウェアラブル・コンピュータを例示することができる。
【００３７】
読み取り装置１３４は、カード１２０を走査して、カード１２０に記録されたカードＩＤを読み取る。読み取り装置１３４は、ユーザ端末１１０から端末ＩＤを取得する。
【００３８】
一実施形態において、読み取り装置１３４は、ユーザ端末１１０の表示部１１２に表示された表示画面１１４を走査して、ユーザ端末１１０の端末ＩＤを読み取る。他の実施形態において、読み取り装置１３４は、ユーザ端末１１０の表示部１１２に表示された表示画面１１４を撮像して、撮像された画像を解析することにより、端末ＩＤを取得する。
【００３９】
他の実施形態において、読み取り装置１３４は、ユーザ端末１１０のＩＣチップに記録されたデジタルデータを、近距離無線通信により取得する。近距離無線通信の方式としては、ＲＦＩＤ、Ｚｉｇｂｅｅ(登録商標）、Ｂｌｕｅｔｏｏｔｈ（登録商標）、ＷｉＦｉ（登録商標）、ＷｉＭＡＸ（登録商標）などを例示することができる。
【００４０】
読み取り装置１３４としては、磁気カードリーダ、ＲＦＩＤリーダ、バーコード（登録商標）リーダ、ＱＲコード（登録商標）リーダなどの情報読み取り装置を例示することができる。読み取り装置１３４は、カメラなどの撮像装置であってもよい。
【００４１】
管理サーバ１４０は、電子バリューを管理する。管理サーバ１４０は、ポイントサービス（マイレージサービスと称される場合もある。）を提供するサービス提供者により付与されるポイントを管理してもよい。管理サーバ１４０は、電子バリューの購入時又は補充時の決済方法に応じて、ポイントの付与額又は付与率を決定してよい。管理サーバ１４０は、電子バリューの購入時又は補充時の決済方法に関する情報を格納してよい。
【００４２】
キャッシュレジスタ１３２及び管理サーバ１４０のそれぞれは、ハードウエアにより実現されてもよく、ソフトウエアにより実現されてもよく、ハードウエアとソフトウエアとの組み合わせにより実現されてもよい。例えば、プログラムが実行されることにより、コンピュータが、キャッシュレジスタ１３２又は管理サーバ１４０として機能する。
【００４３】
キャッシュレジスタ１３２及び管理サーバ１４０のそれぞれは、ＣＰＵ等のプロセッサ、ＲＯＭ、ＲＡＭ、通信インターフェースなどを有するデータ処理装置と、キーボード、タッチパネル、マイク、ＧＰＳ情報受信装置などの入力装置と、表示装置、スピーカなどの出力装置と、メモリ、ＨＤＤなどの記憶装置とを備えてよい。上記のデータ処理装置又は記憶装置は、上記のソフトウエア又はプログラムを記憶してよい。
【００４４】
上記のソフトウエア又はプログラムは、ＣＤ−ＲＯＭ、ＤＶＤ−ＲＯＭ、メモリ、ハードディスクなどのコンピュータ読み取り可能な媒体に記憶されていてもよく、ネットワークに接続された記憶装置に記憶されていてもよい。ソフトウエア又はプログラムは、コンピュータ読み取り可能な媒体又はネットワークに接続された記憶装置から、キャッシュレジスタ１３２又は管理サーバ１４０のコンピュータにインストールされてもよい。
【００４５】
コンピュータを、キャッシュレジスタ１３２又は管理サーバ１４０の各部として機能させるプログラムは、キャッシュレジスタ１３２又は管理サーバ１４０の各部の動作を規定したモジュールを備えてよい。これらのプログラム又はモジュールは、プロセッサ、通信インターフェース等に働きかけて、ユーザ端末１１０の各部として機能させたり、キャッシュレジスタ１３２又は管理サーバ１４０の各部における情報処理方法を実行させたりする。
【００４６】
これらのプログラムに記述された情報処理は、コンピュータに読込まれることにより、ソフトウエアと、キャッシュレジスタ１３２又は管理サーバ１４０のハードウエア資源とが協働した具体的手段として機能する。そして、これらの具体的手段によって、本実施形態におけるコンピュータの使用目的に応じた情報の演算又は加工を実現することにより、使用目的に応じたキャッシュレジスタ１３２又は管理サーバ１４０を構築することができる。
【００４７】
キャッシュレジスタ１３２又は管理サーバ１４０の各部は、一般的な構成の情報処理装置において、キャッシュレジスタ１３２又は管理サーバ１４０の各部の動作を規定したソフトウエア又はプログラムを起動することにより実現されてよい。キャッシュレジスタ１３２若しくは管理サーバ１４０又はその一部として用いられる情報処理装置は、ＣＰＵ等のプロセッサ、ＲＯＭ、ＲＡＭ、通信インターフェースなどを有するデータ処理装置と、キーボード、タッチパネル、マイクなどの入力装置と、液晶ディスプレイなどの表示装置と、スピーカなどの出力装置と、メモリ、ＨＤＤなどの記憶装置とを備えてよい。上記のデータ処理装置又は記憶装置は、上記のソフトウエア又はプログラムを記憶してよい。
【００４８】
本実施形態において、店舗端末１３０が、カード１２０に記録された識別情報と、ユーザ端末１１０を識別する識別情報とを対応付ける場合について説明した。しかし、カード１２０に記録された識別情報と、ユーザ端末１１０を識別する識別情報とを対応付ける方法は、本実施形態に限定されない。他の実施形態において、ユーザ端末１１０が、カード１２０に記録された識別情報と、ユーザ端末１１０を識別する識別情報とを対応付けてよい。
【００４９】
例えば、ユーザ端末１１０は、メモリなどの記憶装置を備え、ユーザ端末１１０の識別情報を格納する。また、ユーザ端末１１０が、カメラなどの撮像装置を備える場合、ユーザ端末１１０は、撮像装置によりカード１２０を撮像して、カード１２０の画像を解析することで、カード１２０の識別情報を取得する。ユーザ端末１１０は、ＲＦＩＤリーダなどの近距離無線通信装置を備え、カード１２０に配されたＩＣチップなどの記憶装置に格納されたカード１２０の識別情報を、カード１２０から取得してもよい。ユーザ端末１１０は、撮像装置、近距離無線通信装置などから取得したカード１２０の識別情報と、ユーザ端末１１０の記憶装置に格納されていたユーザ端末１１０の識別情報とを対応付けて、管理サーバ１４０に送信してよい。
【００５０】
本実施形態において、プリペイドカードを利用して、電子バリューを購入又は補充する場合について説明した。しかし、電子バリューの購入方式又は補充方式は、本実施形態に限定されない。電子バリューの購入方式又は補充方式は、プリペイド方式であってもよく、ポストペイド方式であってもよい。プリペイド方式及びポストペイド方式における具体的な決済方法は、現金決済、銀行決済、クレジット決済などであってもよく、通信キャリアにより提供される決済手段（キャリア決済と称される場合がある。）であってもよい。
【００５１】
本実施形態において、口座ＩＤが、有体物たるカード１２０に記録されたカードＩＤである場合について説明した。しかし、口座ＩＤは、本実施形態に限定されない。口座ＩＤは、管理サーバ１４０により生成されたデジタルデータであってもよい。
【００５２】
例えば、ユーザ端末１１０は、通信回線１０を介して管理サーバ１４０にアクセスして、電子バリューの購入処理又は補充処理を要求する。管理サーバ１４０は、ユーザ端末１１０からの要求に応じて、口座ＩＤと、購入希望額又は補充希望額に相当する電子バリューとが対応づけられたデータを生成する。管理サーバ１４０は、生成されたデータを記憶装置に格納する。
【００５３】
一実施形態において、管理サーバ１４０は、ユーザ端末１１０から、ユーザ端末１１０の端末ＩＤを取得して、端末ＩＤ及び口座ＩＤを対応付ける。ユーザ端末１１０の端末ＩＤは、上記のユーザ端末１１０からの要求に含まれていてもよい。電子バリューの決済は、クレジット決済、銀行決済、キャリア決済などによりオンラインで実施されてよい。
【００５４】
他の実施形態において、管理サーバ１４０は、生成された口座ＩＤと、電子バリューの決済金額に関する情報とをユーザ端末１１０に送信する。ユーザ端末１１０は、管理サーバ１４０から受信した口座ＩＤ及び決済金額と、ユーザ端末１１０の端末ＩＤとを表示部１１２に表示する。ユーザ端末１１０は、口座ＩＤ、決済金額、ユーザ端末１１０の端末ＩＤなどの情報がコード化されたバーコード（登録商標）、ＱＲコード（登録商標）などを表示部１１２に表示してもよい。
【００５５】
次に、読み取り装置１３４が、表示部１１２に表示された情報を読み取り、キャッシュレジスタ１３２において電子バリューの決済が実施される。なお、口座ＩＤ、決済金額、ユーザ端末１１０の端末ＩＤなどの情報は、近距離無線通信により、ユーザ端末１１０から読み取り装置１３４に送信されてもよい。また、電子バリューの決済は、現金決済、クレジット決済、銀行決済などにより実施されてよい。
【００５６】
キャッシュレジスタ１３２は、読み取り装置１３４により読み取られた口座ＩＤが記録されたカード１２０を発行してもよい。キャッシュレジスタ１３２は、上記の口座ＩＤとは異なるカードＩＤが記録されたカード１２０を発行してもよい。読み取り装置１３４が、ユーザ端末１１０からカードの種類に関する情報を読み取っている場合、キャッシュレジスタ１３２は、カードの種類に応じたカード１２０を発行してよい。キャッシュレジスタ１３２は、例えば、カードの種類に応じた外観を有するカード１２０を発行する。
【００５７】
一実施形態において、キャッシュレジスタ１３２は、無地のカードを用意しておき、無地のカードの表面に、読み取り装置１３４が読み取ったカードの種類に応じた文字、模様、色彩などを印刷することで、カードの種類に応じた外観を有するカード１２０を発行する。他の実施形態において、キャッシュレジスタ１３２は、複数の種類のカードを用意しておき、複数の種類のカードの中から、読み取り装置１３４が読み取ったカードの種類に応じたカードを選択することで、カードの種類に応じた外観を有するカード１２０を発行する。
【００５８】
電子バリューの決済が完了すると、キャッシュレジスタ１３２は、読み取り装置１３４により読み取られたユーザ端末１１０の端末ＩＤ及び口座ＩＤを対応付けて、管理サーバ１４０に送信する。カード１２０に、上記の口座ＩＤとは異なるカードＩＤが記録されている場合、上記の口座ＩＤ及びカードＩＤを対応付けて、管理サーバ１４０に送信してもよい。管理サーバ１４０は、口座ＩＤをキーとして、キャッシュレジスタ１３２から受信したユーザ端末１１０の端末ＩＤと、管理サーバ１４０の記憶装置に格納された口座ＩＤとを対応付ける。
【００５９】
なお、管理サーバ１４０が、ユーザ端末１１０からの要求に応じて、口座ＩＤと、購入希望額又は補充希望額に相当する電子バリューを対応づけたデータを生成するときに、ユーザ端末１１０の端末ＩＤをさらに対応づけている場合には、キャッシュレジスタ１３２は、電子バリューの決済が完了したときに、上記の口座ＩＤにおける決済が完了したことを示す情報を送信してもよい。
【００６０】
図２は、ユーザ端末１１０のシステム構成の一例を概略的に示す。本実施形態において、ユーザ端末１１０は、表示部１１２と、画面生成部２１０と、近距離無線通信部２２０と、入力部２３０と、要求処理部２４０と、サーバ通信部２５０と、格納部２６０とを備える。格納部２６０は、端末情報格納部２６２を有してよい。ユーザ端末１１０の各部は、互いに情報を送受することができる。
【００６１】
画面生成部２１０は、表示画面１１４を生成する。画面生成部２１０は、端末情報格納部２６２に格納されたユーザ端末１１０の端末ＩＤをコード化して、表示画面１１４を生成してよい。近距離無線通信部２２０は、近距離無線通信を介して、読み取り装置１３４との間で情報を送受する。入力部２３０は、ユーザ１０２の指示を入力する。入力部２３０としては、キーボード、ポインティングデバイス、タッチパネル、マイク、カメラなどを例示することができる。
【００６２】
要求処理部２４０は、ユーザ１０２が入力部２３０に入力した、ユーザ端末１１０又は決済システム１００への要求を処理する。決済システム１００への要求は、ユーザ端末１１０の端末ＩＤ又はカード１２０のカードＩＤに対応付けられた口座において管理されている電子バリューの少なくとも一部を、第三者に譲渡するための要求であってよい。これにより、例えば、現実のプリペイドカードを第三者にプレゼントする場合と同様にして、電子バリューを第三者にプレゼントすることができる。
【００６３】
サーバ通信部２５０は、通信回線１０を介して、管理サーバ１４０との間で情報を送受する。サーバ通信部２５０は、通信インターフェースであってもよい。格納部２６０は、情報を格納する。端末情報格納部２６２は、ユーザ端末１１０の端末ＩＤを格納する。
【００６４】
図３は、キャッシュレジスタ１３２のシステム構成の一例を概略的に示す。本実施形態において、キャッシュレジスタ１３２は、通信部３１０と、入力部３２０と、対応付け部３３０と、要求処理部３４０と、決済金額決定部３５０と、決済処理部３６０とを備える。入力部３２０は、画像解析部３２２を有する。キャッシュレジスタ１３２の各部は、互いに情報を送受することができる。入力部３２０は、端末情報取得部及び口座情報取得部の一例であってよい。対応付け部３３０は、識別情報送信部の一例であってよい。要求処理部３４０は、要求送信部の一例であってよい。
【００６５】
通信部３１０は、通信回線１０を介して、管理サーバ１４０との間で情報を送受する。通信部３１０は、通信インターフェースであってもよい。
【００６６】
入力部３２０は、読み取り装置１３４が読み取った情報を入力する。入力部３２０は、読み取り装置１３４が読み取った情報を解析して、情報を取得してよい。一実施形態において、読み取り装置１３４からバーコード又はＱＲコード（登録商標）が入力された場合、入力部３２０は、バーコード又はＱＲコード（登録商標）をデコードして、バーコード又はＱＲコード（登録商標）にコード化された情報を取得する。他の実施形態において、読み取り装置１３４から画像が入力された場合、入力部３２０は、当該画像を解析して、当該画像に含まれる情報を取得する。
【００６７】
入力部３２０は、読み取り装置１３４から、ユーザ端末１１０の端末ＩＤを取得してよい。入力部３２０は、読み取り装置１３４から、カード１２０のカードＩＤを取得してよい。
【００６８】
画像解析部３２２は、ユーザ端末１１０の表示部１１２の表示画面１１４を撮像して得られた画像を、読み取り装置１３４から受け取る。画像解析部３２２は、上記の画像を解析して、表示画面１１４に表示されたユーザ端末１１０の端末ＩＤを取得する。画像解析部３２２は、光学文字認識（Ｏｐｔｉｃａｌ  Ｃｈａｒａｃｔｅｒ  Ｒｅｃｏｇｎｉｔｉｏｎ）により、画像を解析してよい。
【００６９】
対応付け部３３０は、入力部３２０から、ユーザ端末１１０の端末ＩＤ及びカード１２０のカードＩＤを受け取る。対応付け部３３０は、ユーザ端末１１０の端末ＩＤ及びカード１２０のカードＩＤを対応付けて、通信部３１０を介して管理サーバ１４０に送信する。対応付け部３３０は、ユーザ端末１１０の端末ＩＤ及びカード１２０のカードＩＤを対応付けて格納するよう、管理サーバ１４０に要求してもよい。
【００７０】
要求処理部３４０は、決済処理の実行中に管理サーバ１４０にアクセスして情報を取得する必要が生じた場合に、管理サーバ１４０への要求を生成する。また、生成された要求を、通信部３１０を介して管理サーバ１４０に送信する。
【００７１】
例えば、ユーザ１０２が、ユーザ端末１１０又はカード１２０を利用して、商品又はサービスを購入する場合、ユーザ１０２は、ユーザ端末１１０又はカード１２０をキャッシュレジスタ１３２に提示して、決済システム１００により提供される決済サービスを利用する。要求処理部３４０は、入力部３２０から、ユーザ端末１１０の端末ＩＤ又はカード１２０のカードＩＤを受け取る。また、要求処理部３４０は、決済金額決定部３５０から、取引の決済金額に関する情報を受け取る。次に、要求処理部３４０は、取引の決済の可否に関する情報を取得するための、管理サーバ１４０に対する要求を生成する。
【００７２】
一実施形態において、取引の決済の可否に関する情報は、ユーザ端末１１０の端末ＩＤ又はカード１２０のカードＩＤに対応付けられた口座における電子バリューの残高に関する情報である。他の実施形態において、取引の決済の可否に関する情報は、上記の電子バリューの残高が、取引の決済金額以上であるか否かを示す情報である。
【００７３】
一実施形態において、要求処理部３４０は、ユーザ端末１１０の端末ＩＤ又はカード１２０のカードＩＤと、生成された要求とを管理サーバ１４０に送信して、取引の決済の可否に関する情報を送信するように要求する。他の実施形態において、要求処理部３４０は、ユーザ端末１１０の端末ＩＤ又はカード１２０のカードＩＤと、取引の決済金額に関する情報と、生成された要求とを管理サーバ１４０に送信して、管理サーバ１４０に取引の決済の可否を判定するよう要求する。
【００７４】
要求処理部３４０は、上記の要求に対する管理サーバ１４０からの応答を受信する。要求処理部３４０は、管理サーバ１４０から、取引の決済が可能であることを示す情報を受信した場合、その旨を決済処理部３６０に通知する。また、電子バリューの残高を更新するための要求を生成して、管理サーバ１４０に送信する。要求処理部３４０は、管理サーバ１４０から、取引の決済が不可能であることを示す情報を受信した場合、例えば、その旨をユーザ１０２に通知するための処理を実行する。
【００７５】
決済金額決定部３５０は、ユーザ１０２の取引の決済金額を決定する。例えば、決済金額決定部３５０は、入力部３２０から、ユーザ１０２が購入する１以上の商品又はサービスの代金に関する情報を取得する。決済金額決定部３５０は、取得された情報を集計して、取引の決済金額を決定する。決済処理部３６０は、要求処理部３４０から、取引の決済が可能であることを示す情報を受け取ると、取引の決済処理を実行する。
【００７６】
図４は、管理サーバ１４０のシステム構成の一例を概略的に示す。本実施形態において、管理サーバ１４０は、格納部４１０と、通信部４２０と、バリュー情報管理部４３０とを備える。格納部４１０は、取引履歴格納部４１２と、バリュー情報格納部４１４とを有する。バリュー情報管理部４３０は、残高抽出部４３２と、判定部４３４と、更新部４３６とを有する。管理サーバ１４０の各部は、互いに情報を送受することができる。通信部４２０は、識別情報受信部、決済情報取得部及び要求受信部の一例であってよい。更新部４３６は、バリュー情報更新部の一例であってよい。
【００７７】
格納部４１０は、情報を格納する。取引履歴格納部４１２は、ユーザ１０２の電子バリューを利用した取引の履歴を格納する。
【００７８】
バリュー情報格納部４１４は、ユーザ端末１１０の端末ＩＤと、カード１２０のカードＩＤと、カード１２０のカードＩＤにより識別される口座における電子バリューの残高に関する情報とを対応付けて格納する。バリュー情報格納部４１４は、上記の情報に、さらに、商品又はサービスの提供者からユーザに付与されたポイントの残高に関する情報を対応付けて格納してもよい。
【００７９】
通信部４２０は、例えば、キャッシュレジスタ１３２の対応付け部３３０から、ユーザ端末１１０の端末ＩＤと、当該端末ＩＤに対応付けられたカードＩＤとを受信する。通信部４２０は、受け取った情報を更新部４３６に送信する。
【００８０】
通信部４２０は、例えば、キャッシュレジスタ１３２の要求処理部３４０から、ユーザ端末１１０の端末ＩＤ又はカード１２０のカードＩＤと、取引の決済金額に関する情報と、当該端末ＩＤ又は当該カードＩＤに対応付けられた電子バリューの残高を更新するための要求とを受信する。通信部４２０は、受け取った情報を更新部４３６に送信する。
【００８１】
通信部４２０は、例えば、キャッシュレジスタ１３２の要求処理部３４０から、ユーザ端末１１０の端末ＩＤ又はカード１２０のカードＩＤと、取引の決済金額に関する情報と、取引の決済の可否を判定するための要求とを受信する。通信部４２０は、受け取った情報を残高抽出部４３２及び判定部４３４の少なくとも一方に送信する。
【００８２】
通信部４２０は、例えば、ユーザ端末１１０から、ユーザ端末１１０の端末ＩＤに対応付けられた１以上のカードＩＤの少なくとも１つにつき、当該カードＩＤ及びユーザ端末１１０の端末ＩＤの対応付けを解消し、当該カードＩＤと、他のユーザのユーザ端末の端末ＩＤとを対応付けるように要求する変更要求を受信する。通信部４２０は、受け取った情報を更新部４３６に送信する。
【００８３】
バリュー情報管理部４３０は、バリュー情報格納部４１４に格納されている情報を管理する。残高抽出部４３２は、キャッシュレジスタ１３２の要求処理部３４０からの要求に応じて、特定の端末ＩＤ又は特定の口座ＩＤ若しくはカードＩＤに対応付けられた電子バリューの残高及びポイントの残高の少なくとも一方を抽出する。残高抽出部４３２は、抽出された情報をキャッシュレジスタ１３２の要求処理部３４０に送信してもよく、判定部４３４に送信してもよい。
【００８４】
例えば、残高抽出部４３２は、通信部４２０から、ユーザ端末１１０の端末ＩＤ又はカード１２０のカードＩＤと、取引の決済の可否を判定するための要求とを受け取ると、バリュー情報格納部４１４を参照して、ユーザ端末１１０の端末ＩＤ又はカード１２０のカードＩＤに対応付けられた電子バリューの残高を抽出する。残高抽出部４３２は、抽出結果を判定部４３４に送信する。
【００８５】
判定部４３４は、取引の決済の可否を判定する。例えば、判定部４３４は、残高抽出部４３２から、抽出された電子バリューの残高に関する情報を受け取る。また、通信部４２０から、取引の決済金額に関する情報を受け取る。判定部４３４は、電子バリューの残高と取引の決済金額とを比較して、電子バリューの残高が、取引の決済金額以上である場合に、取引の決済が可能であると判定する。
【００８６】
更新部４３６は、格納部４１０に格納されている情報を更新する。一実施形態において、通信部４２０が、対応付け部３３０から、ユーザ端末１１０の端末ＩＤと、当該端末ＩＤに対応付けられたカードＩＤとを受信した場合、更新部４３６は、通信部４２０から、当該端末ＩＤ及び当該カードＩＤを受け取る。更新部４３６は、受け取った端末ＩＤ及びカードＩＤを対応付けて、バリュー情報格納部４１４に格納する。
【００８７】
更新部４３６は、カード１２０が電子バリューのプリペイドカードである場合、電子バリューを補充するたびに、端末ＩＤとカードＩＤとを対応付ける必要はない。一実施形態において、通信部４２０が、対応付け部３３０から端末ＩＤ及びカードＩＤを受信した場合であっても、当該端末ＩＤに対応付けられた口座において管理されている電子バリューの残高が０より大きい場合、更新部４３６は、上記の端末ＩＤにカードＩＤを対応付けることなく、上記の電子バリューの残高に、カード１２０により補充された電子バリューを加算して、電子バリューの残高を更新してもよい。
【００８８】
他の実施形態において、通信部４２０が、要求処理部３４０から、ユーザ端末１１０の端末ＩＤ又はカード１２０のカードＩＤと、取引の決済金額に関する情報と、当該端末ＩＤ又は当該カードＩＤに対応付けられた電子バリューの残高を更新するための要求とを受信した場合、更新部４３６は、通信部４２０から、当該端末ＩＤ又は当該カードＩＤと、取引の決済金額に関する情報とを受け取る。
【００８９】
更新部４３６は、受け取った端末ＩＤ又はカードＩＤに対応付けられた電子バリューの残高から、決済金額に相当する電子バリューを減少させて、電子バリューの残高を更新する。更新部４３６は、取引の時間と、取引の決済金額とを対応付けて、取引履歴格納部４１２に格納してよい。更新部４３６は、上記の情報に、さらに、取引の詳細に関する情報を対応付けて、取引履歴格納部４１２に格納してもよい。
【００９０】
他の実施形態において、通信部４２０が、ユーザ端末１１０から、変更要求を受信した場合、更新部４３６は、通信部４２０から、ユーザ端末１１０の端末ＩＤと、他のユーザのユーザ端末の端末ＩＤとを受け取る。更新部４３６は、ユーザ端末１１０の端末ＩＤに対応付けられた１以上のカードＩＤの少なくとも１つにつき、当該カードＩＤ及びユーザ端末１１０の端末ＩＤの対応付けを解消し、当該カードＩＤと、他のユーザのユーザ端末の端末ＩＤとを対応付ける。更新部４３６は、通信部４２０から端末ＩＤとの対応関係を変更するカードＩＤを受け取ってもよい。
【００９１】
更新部４３６は、ポイントサービスの提供者により付与されるポイントを管理してもよい。更新部４３６は、電子バリューの購入時又は補充時の決済方法に応じて、ポイントの付与額又は付与率を決定してよい。例えば、更新部４３６は、決済方法がクレジット決済の場合、他の決済方法と比較して、ポイントの付与額又は付与率が小さくなるように、ポイントの付与額又は付与率を決定する。更新部４３６は、電子バリューの購入金額又は補充金額と、決済方法とに基づいて、ポイントの付与額を決定してもよい。
【００９２】
更新部４３６は、店舗において購入した商品又はサービスの決済方法に応じて、ポイントの付与額又は付与率を決定してよい。例えば、更新部４３６は、決済方法がクレジット決済の場合、他の決済方法と比較して、ポイントの付与額又は付与率が小さくなるように、ポイントの付与額又は付与率を決定する。更新部４３６は、商品又はサービスの購入金額と、決済方法とに基づいて、ポイントの付与額を決定してもよい。更新部４３６は、商品又はサービスの購入金額と、決済方法とに基づいて、ポイントの付与額を決定してもよい。
【００９３】
これにより、端末ＩＤとカードＩＤとの対応関係を変更して、ユーザ１０２から他のユーザに電子バリューを譲渡することができる。その結果、ユーザ１０２の取引履歴をより正確に記録することができる。
【００９４】
図５は、データテーブル５００の一例を概略的に示す。データテーブル５００は、バリュー情報格納部４１０に格納されるバリュー情報の一例であってよい。本実施形態において、データテーブル５００は、端末ＩＤ５０２と、バリュー種別５０４と、バリュー残高５０６と、カードＩＤ５０８と、ポイント残高５１０と、決済方法５２０とを対応付けて格納する。ポイント残高５１０には、Ａ社により付与されるポイントの残高５１２と、Ｂ社により付与されるポイントの残高５１４とが含まれる。
【００９５】
本実施形態において、１つの端末ＩＤ５０２に対して、複数のカードＩＤ５０８が対応付けられている場合、バリュー残高５０６には、複数のカードのバリュー残高の合計値が記入される。なお、本実施形態において、カードＩＤ５０８は、電子バリューの口座ＩＤとして利用されてよい。また、他の実施形態において、なお、他の実施形態において、データテーブル５００は、口座ＩＤをさらに対応付けて格納してもよい。この場合、少なくとも一部のレコードにおいて、口座ＩＤ及びカードＩＤが同一であってもよい。
【００９６】
データテーブル５００において、ＮＯＮＥはデータが存在しないことを意味する。例えば、端末ＩＤ５０２がＴ００１０で示されるレコードにおいて、カードＩＤ５０８の欄にＮＯＮＥが記入されている。この場合、例えば、プリペイドカード以外の方法により電子バリューを補充したことを示す。また、カードＩＤ５０８がＣ００５０のレコードにおいて、端末ＩＤ５０２の欄にＮＯＮＥが記入されている。この場合、例えば、カードＩＤ５０８で示されるカードが、未購入のプリペイドカードであることを示す。
【００９７】
データテーブル５００において、バリュー種別５０４は、電子バリューの種類を示す。バリュー種別５０４は、例えば、電子バリューサービスを識別する識別情報であってもよく、電子バリューサービスを提供する事業者を識別する識別情報であってもよい。
【００９８】
データテーブル５００において、決済方法５２０は、電子バリューの購入処理又は補充処理における決済方法を示す。データテーブル５００によれば、例えば、カードＩＤ５０８がＣ０００３であるプリペイドカードがキャリア決済により購入されたことがわかる。また、端末ＩＤ５０２がＴ００１０で示されるレコードにおいて、電子バリューがクレジット決済により購入又は補充されたことがわかる。
【００９９】
図６は、データテーブル６００の一例を概略的に示す。データテーブル６００は、バリュー情報格納部４１０に格納されるバリュー情報の一例であってよい。データテーブル６００は、本実施形態において、１つの端末ＩＤ５０２に対して、複数のカードＩＤ５０８が対応付けられている場合、バリュー残高６０６には、それぞれのカードのバリュー残高が記入される点で、データテーブル５００と相違する。その他の点については、データテーブル５００と同様の構成を有してよい。
【０１００】
図７は、管理サーバ１４０における電子バリューの譲渡処理の一例を概略的に示す。図７を用いて、ユーザＡがプリペイドカードを利用して購入した電子バリューを、ユーザＣに譲渡する場合を例として、電子バリューの譲渡処理について説明する。
【０１０１】
本実施形態によれば、ステップ７１０（ステップをＳと省略する場合がある。）において、ユーザＡは、譲渡相手及び譲渡金額を指定して、譲渡処理を実行するための指示を、ユーザ端末１１０に入力する。ユーザＡのユーザ端末１１０は、管理サーバ１４０に、譲渡相手及び譲渡金額に関する情報を送信して、譲渡処理の開始を要求する。
【０１０２】
Ｓ９３０において、管理サーバ１４０は、ユーザＣのユーザ端末１１０にメールを送信して、ユーザＡからユーザＣに電子バリューを譲渡する申し出があったことを通知する。Ｓ７３２において、ユーザＣが、管理サーバ１４０からのメールに回答するための指示を、ユーザ端末１１０に入力する。
【０１０３】
ユーザＣが譲渡の申し出を受け入れた場合、Ｓ７４０において、管理サーバ１４０は、譲渡処理を実行する。具体的には、更新部４３６が、バリュー情報格納部４１４に格納されたデータテーブル６００を参照して、該当するカードＩＤ５０８に対応する端末ＩＤ５０２を書き換える。このとき、必要に応じて、ユーザＣのユーザ端末１１０にプログラムをインストールする。一方、ユーザＣが譲渡の申し出を拒否した場合、更新部４３６は、譲渡処理を中止して、ユーザＣが譲渡の申し出を拒否したことをユーザＡに通知する。
【０１０４】
図８は、管理サーバ１４０における電子バリューの譲渡処理の一例を概略的に示す。図８を用いて、ユーザＡ及びユーザＢが共同で電子バリューを購入して、当該電子バリューをユーザＣに譲渡する場合を例として、電子バリューの譲渡処理について説明する。
【０１０５】
本実施形態によれば、Ｓ７１０において、ユーザＡは、電子バリューの共同購入者、譲渡相手、譲渡金額を指定して、譲渡処理を実行するための指示を、ユーザ端末１１０に入力する。ユーザＡのユーザ端末１１０は、管理サーバ１４０に、電子バリューの共同購入者、譲渡相手、譲渡金額に関する情報を送信して、譲渡処理の開始を要求する。
【０１０６】
Ｓ８２０において、管理サーバ１４０は、電子バリューの共同購入者であるユーザＢのユーザ端末１１０にメールを送信して、ユーザＡからユーザＢに電子バリューを共同購入する提案があったことを通知する。Ｓ８３２において、ユーザＢが、管理サーバ１４０からのメールに回答するための指示をユーザ端末１１０に入力する。
【０１０７】
ユーザＢが提案を受け入れた場合、図７に関連して説明した方法と同様にして、譲渡処理が実行される。譲渡処理が完了すると、Ｓ８５０において、管理サーバ１４０は、精算処理を実行する。具体的には、ユーザＢの負担金額に相当する電子バリューを、ユーザＢの電子バリューを管理する口座から、ユーザＡの電子バリューを管理する口座に移動させる。一方、ユーザＢが提案を拒否した場合、管理サーバ１４０は、例えば、譲渡処理を中止して、ユーザＣが提案を拒否したことをユーザＡに通知する。
【０１０８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。例えば、技術的に矛盾しない範囲において、特定の実施形態について説明した事項を、他の実施形態に適用することができる。また、各実施形態において、各ステップを実施する順序及びタイミングは、技術的に矛盾が生じない範囲において、適宜、変更することができる。さらに、技術的に矛盾が生じない範囲において、Ａ又はＢという事項を、Ａ及びＢの少なくとも一方と読み替えてもよい。その様な変更または改良を加えた形態も本発明の技術的範囲に含まれ得ることが、特許請求の範囲の記載から明らかである。
【０１０９】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【０１１０】
本願明細書には、ユーザの情報処理端末を識別する端末識別情報を取得する端末情報取得部と、上記ユーザが携行できる有体物であって、電子バリューを管理する口座を識別する口座識別情報が記録された有体物から、上記口座識別情報を取得する口座情報取得部と、上記電子バリューを管理する管理サーバに、上記端末識別情報及び上記口座識別情報を対応付けて送信する識別情報送信部とを備える電子バリュー管理システムが開示されている。上記の電子バリュー管理システムにおいて、上記有体物は、上記情報処理端末とは異なってよい。また、コンピュータを、上記の電子バリュー管理システムとして機能させるためのプログラムが開示されている。
【符号の説明】
【０１１１】
１０  通信回線、１００  決済システム、１０２  ユーザ、１１０  ユーザ端末、１１２  表示部、１１４  表示画面、１１６  バーコード、１２０  カード、１２６  バーコード、１３０  店舗端末、１３２  キャッシュレジスタ、１３４  装置、１４０  管理サーバ、２１０  画面生成部、２２０  近距離無線通信部、２３０  入力部、２４０  要求処理部、２５０  サーバ通信部、２６０  格納部、２６２  端末情報格納部、３１０  通信部、３２０  入力部、３２２  画像解析部、３３０  対応付け部、３４０  要求処理部、３５０  決済金額決定部、３６０  決済処理部、４１０  格納部、４１２  取引履歴格納部、４１４  バリュー情報格納部、４２０  通信部、４３０  バリュー情報管理部、４３２  残高抽出部、４３４  判定部、４３６  更新部、５００  データテーブル、５０２  端末ＩＤ、５０４  バリュー種別、５０６  バリュー残高、５０８  カードＩＤ、５１０  ポイント残高、５１２  残高、５１４  残高、５２０  決済方法、６００  データテーブル、６０６  バリュー残高
【図１】
2015219888.tif 000003
【図２】
2015219888.tif 000004
【図３】
2015219888.tif 000005
【図４】
2015219888.tif 000006
【図５】
2015219888.tif 000007
【図６】
2015219888.tif 000008
【図７】
2015219888.tif 000009
【図８】
2015219888.tif 000010